(57)【特許請求の範囲】
【請求項１】
洗面器を載せることのできる洗面器台であって、該洗面器台は、上下２部材を組合わせた中空形状に形成されてリブとか支柱により強度が確保された構造体に形成されているとともに、固定具を介し浴室の壁や収納パネルに固定され、かつ浴室床面上に自立されていることを特徴とする浴室の洗面器台。
【発明の詳細な説明】
【０００１】
【産業上の利用分野】
この発明は、洗面器を載せることのできる浴室に設置される洗面器台に関するものである。
【０００２】
【従来の技術及びその課題】
浴室の洗い場で椅子に座って体を洗う時に、洗面器を置くことのできる洗面器台を設置すると使い勝手が良好となるが、従来では、洗面器台は浴室の内装に造り付けで形成されていたり、また、簡易な形状のものを浴室の壁に取り付ける等して設置されており、従来では取り外しが困難で、安定性を向上させるためには補強等を設ける必要があった。
【０００３】
【課題を解決するための手段】
本発明は上記従来の問題点に鑑み案出したものであって、取り外しが容易で補強等を設けることなく安定した強度が得られる浴室の洗面器台を提供せんことを目的とし、その要旨は、洗面器を載せることのできる洗面器台であって、該洗面器台は、上下２部材を組合わせた中空形状に形成されてリブとか支柱により強度が確保された構造体に形成されているとともに、固定具を介し浴室の壁や収納パネルに固定され、かつ浴室床面上に自立されていることである。
【０００４】
【実施例】
以下、本発明の実施例を図面に基づいて説明する。
図１は、洗面器台を設置したユニットバスの概略斜視構成図であり、ユニットバス１の壁面２には、壁面２と連結されて収納パネル３が立設されており、この収納パネル３の下端に、取り外し可能に洗面器台５が取り付けられ、この洗面器台５は浴室床面４上に自立されて設置されたものとなっている。なお、図１において、図中６は排水溝に敷設されているグレーチングであり、図中７は浴槽であり、図中８は浴室床面４で体を洗う時に座ることのできる椅子である。
【０００５】
図２の拡大分解図で示すように、前記収納パネル３には一体状に棚部３ａが形成され、また、下部には突出状に突出部３ｂが一体形成されたものとなっており、また、棚部３ａの下部には水栓金具９が取り付けられたものとなっている。この収納パネル３の前記突出部３ｂの上方には一対の上固定具１０，１０が固設されており、また、突出部３ｂの下部には一対の下固定具１１，１１が固設されており、この上固定具１０，下固定具１１に対し前記洗面器台５を着脱可能に取り付けることができるように構成され、洗面器台５は図３の分解図で示すように、本体部５１と、この本体部５１上に覆設される天板部５２の２部材が組合わされて中空状に形成されており、前記収納パネル３に当接する側、即ち背面側は解放状態に形成されたものとなっている。
【０００６】
本体部５１と天板部５２を組付けて収納パネル３に固定させた状態の断面拡大図を図４に示し、また図５には、洗面器台５の前面側からの外観図を示す。
前記本体部５１の上部部位５１ａは横方向に広がって面積が大に形成されており、下部部位５１ｂは面積が狭まって形成されており、下部部位５１ｂから上部部位５１ａに至る外側へ張り出す部位、即ち上部部位５１ａの両端側の底面側は、前面側から背面側に向かって傾斜した傾斜部５１ｃ，５１ｃとなっており、この両側の傾斜部５１ｃと浴室床面４間の隙間内に前面側から足等を入れて洗面器台５に体を近づけることができるように設定されている。
【０００７】
また、本体部５１の内部には補強用の補強リブ５１ｄが一体状に立ち上げ形成されており、この補強リブ５１ｄにはボス部５１ｅ，５１ｅが形成されて、このボス部５１ｅ，５１ｅ内に、上方より棒状の支柱５３，５３を差し込むことができるように構成されている。また、本体部５１の底面５１ｆには前面側から背面側に下傾した水勾配が形成されており、内部に侵入した水を収納パネル３側へ流すことができるように構成されている。
【０００８】
なお、本体部５１の背面に係子５１ｇを突出状に設けておけば、この係子５１ｇを前記下固定具１１の係合溝１１ａ内に前面側から嵌め込んで、着脱可能に本体部５１を収納パネル３の下固定具１１に固定できる。また、この本体部５１の底面の四隅にはゴム脚が取り付けられるものであり、前面側には背の高い前ゴム脚５４，５４が取り付けられ、背面側には背の低い背ゴム脚５５，５５が取り付けられて、この前ゴム脚５４，５４及び背ゴム脚５５，５５が浴室床面４上に当接して設置されるものである。なお、前側の前ゴム脚５４の高さを背ゴム脚５５の高さよりも高く設定したのは、浴室床面４の水勾配に対応させて水平状に本体部５１を設置させるためである。
【０００９】
なお、前記洗面器台５の天板部５２は、洗面器を載せることのできる平面状の上面５２ａを有し、その外周に垂下状に垂下片５２ｂが一体形成され、背面側にも垂下状に掛止片５２ｃが一体形成されており、この掛止片５２ｃが前記上固定具１０の上方に突出した鍔片１０ａの裏側へ掛止状に当接されて、天板部５２が上固定具１０に掛止固定されるように構成されている。また、天板部５２にも垂下状にボス部５２ｄ，５２ｄが一体形成されており、このボス部５２ｄ，５２ｄに前記支柱５３，５３の上端を差し込んで、この支柱５３，５３により本体部５１と天板部５２を強度を確保して連結できるように構成されている。
【００１０】
なお、天板部５２の上面５２ａには背面、即ち収納パネル３側から前面側へ向かって下傾した水勾配が形成されており、上面５２ａ上の水滴が前面側の浴室床面４上へ流されるように設定されている。なお、上面５２ａには図５に示すように、滑り止め用の波形状等の凹凸模様を形成させておくことができる。なお、前記本体部５１の前面側は背面側へ凹ませて形成しても良い。
【００１１】
このように構成された洗面器台５は図１に示すように、収納パネル３の下端部に取り付けて浴室床面４上に自立させ、椅子８に腰掛けて、この洗面器台５上に洗面器を置いて、水栓金具９から洗面器内に湯水を吐出させ、体を良好に洗うことができ、使い勝手が良好なものとなり、洗面器台５は浴室床面４上に自立されているため、荷重を浴室床面４側に良好に逃がすことができ、強度が確保されて安定した使用状態を得ることができる。
【００１２】
【発明の効果】
本発明は、洗面器を載せることのできる洗面器台であって、該洗面器台は、上下２部材を組合わせた中空形状に形成されてリブとか支柱により強度が確保された構造体に形成されているとともに、固定具を介し浴室の壁や収納パネルに固定され、かつ浴室床面上に自立されていることにより、自立されているため使用時に安定感があり、また邪魔な時には取り外しが可能となる。
また、上下２部材を組合わせた中空形状に形成されてリブとか支柱により強度が確保された構造体に形成されていることにより、外観が大きくても、軽くて強度が大なものとし得る効果を有する。
【図面の簡単な説明】
【図１】洗面器台を設置したユニットバスの斜視構成図である。
【図２】収納パネルへ洗面器台を取り付ける状態の分解斜視図である。
【図３】洗面器台の分解斜視図である。
【図４】洗面器台を収納パネルに設置した状態の断面拡大構成図である。
【図５】洗面器台の正面構成図である。
【符号の説明】
３  収納パネル
４  浴室床面
５  洗面器台
９  水栓金具
１０  上固定具
１０ａ  鍔片
１１  下固定具
１１ａ  係合溝
５１  本体部
５１ａ  上部部位
５１ｂ  下部部位
５１ｃ  傾斜部
５１ｄ  補強リブ
５１ｅ  ボス部
５１ｆ  底面
５１ｇ  係子
５２  天板部
５２ａ  上面
５２ｃ  掛止片
５２ｄ  ボス部
５３  支柱
５４  前ゴム脚
５５  背ゴム脚
【図１】
0003559983.tif 000002
【図２】
0003559983.tif 000003
【図３】
0003559983.tif 000004
【図４】
0003559983.tif 000005
【図５】
0003559983.tif 000006